【事件の表示】
　上記当事者間の特許第１４４１１６７号発明「防曇剤」の特許無効審判事件について、次のとおり審決する。
【結　論】
　本件審判の請求は、成り立たない。
　審判費用は、請求人の負担とする。
【理　由】
１．手続きの経緯・本件発明
　
  本件特許第１４４１１６７号に係る発明（昭和５４年１２月２４日出願、昭和６３年５月３０日設定登録、以下、「本件発明」という。）は、特許明細書及び図面の記載からみて、その特許請求の範囲に記載された次のとおりのものである。
「水溶性の防曇基剤に、下記構造式で表わされる界面活性剤を配合してなる防曇剤。
　
　
　
（ｎ′，ｎ″はそれぞれ１以上の正整数で、ｎ′＋ｎ″は６以上の正整数を示す）」
　
２．請求人の主張
　
  これに対して、請求人は、請求人は昭和５２年６月２１日付けで実用新案登録出願をしており、その公告公報の第１頁第２欄第５行ないし第３７行に、油の膜と記載されており、本件発明を先に考案、発明しているのに対して、被請求人は、請求人が本件発明を出願した日より後の昭和５４年１２月２４日に本件発明を冒認出願し、昭和６３年５月３０日に特許権の設定登録をしており、本件発明の特許は特許法第１２３条第１項第６号の規定により無効とすべきであると主張し、証拠方法として甲第１号証（特公昭６２−４７２２７号公報）、甲第２号証（実公昭５７−５８０２７号公報）、甲第３号証（特許第２５６６５１２号公報）、甲第４号証（特開平６−９３９７１号公報）を提出している。
　
３．甲第１号証ないし甲第４号証の記載事項
　
　甲第１号証には、本件発明が記載されている。
　甲第２号証には、「車輌１の前面ウインドガラス５の前方側にエアーカーテン３３を形成する車輌のエアーワイパであって、前面ウインドガラス５に略平行に、かつ略全面に沿った後面エアーカーテン３２を形成する上向きエアーノズル３１を前面ウインドガラス５の下縁部２６ａに沿って複数個並設し、前記後面エアーカーテン３２の前方側で前面エアーカーテン３０を形成する上向きエアーノズル２４を前面ウインドガラス５の下縁部２６ａに左右に首振り自在に備えて、該エアーノズル２４を首振り振動させる手段２３を備え、上記前面エアーカーテン３０を形成するエアーノズル２４を前傾上方にエアーを噴射すべく設け、各ノズル２４，３１へのエアー供給用パイプ１８、１９に夫々エアー流量調整用絞り弁２１を設けたことを特徴とする車輌のエアーワイパ」（特許請求の範囲）、「また、上記の場合には、前面ウインドガラスに油膜が付着しやすいと云う欠点もあり、更に、上記の場合には、前面ウインドガラスの全面をワイパでぬぐうことは困難であって、隅部は汚れたままであると云う欠点もあった。」（１頁２欄４〜８行）、「前面ウインドガラス５に油膜が付着することもなく、前面ウインドガラス５を清浄に維持できるのであり」（３頁５欄６〜８行）と記載されている。
　甲第３号証には、車輌用のエアーワイパーの発明が記載されており、「その目的は、雨水の吹き飛し作用をより効果的なものとし、かつ結露による前面ウインドガラスの曇りを有効に防止することのできる車輌用エアワイパーを提供することにある。」（２頁４欄７〜９行）と記載されている。
　甲第４号証には、複数サイクルコンプレッサの発明が記載されている。
　
４．対比・判断
　
（請求人の冒認についての主張）
　
　請求人は、本件発明の防曇剤は請求人が本件発明の出願前に請求人がなした出願時に発明していた発明であるとし、本件出願前の甲第２号証中に「油の膜」と記載されていることからして、油性、油の膜を使用した防曇剤の発明をしているのであると主張している。
　そして、本件発明の防曇剤は、その公告公報第２頁第４欄に油の膜を使用することが記載されていることからして、請求人が発明した油性、油の膜を使用した防曇剤の発明の冒認発明であると主張している。
　
（請求人が本件発明より先に発明したと主張する油性の油の膜を形成する防曇剤発明）
　
　甲第２号証について検討するに、甲第２号証には車輌用のエアーワイパの考案が記載されており、「油膜」（１頁２欄５行）と記載されているが、この記載だけでは請求人が本件発明より先に発明したと主張する防曇剤発明がいかなる発明なのか明らかとはいえない。そして、この点は、本件出願後の出願に係る甲第３号証の車輌用のエアーワイパーの発明において「その目的は、雨水の吹き飛し作用をより効果的なものとし、かつ結露による前面ウインドガラスの曇りを有効に防止することのできる車輌用エアワイパーを提供することにある。」（２頁４欄７〜９行）と記載されていることや、甲第４号証に複数サイクルコンプレッサの発明が記載されていることを参照してみても同様である。
　しかし、この点についてさらに検討するに、請求人は「甲第１４４１１６７号の公告公報第２頁第４欄第２５行ないし２７行に油性、油の膜を使用しており、まねをしたのであるから防曇剤の特許の権利を特許法第１２３条第１項第６号の規定により無効とすべきである。」（平成１３年８月１３日付け手続補正書１頁下から６〜３行）と主張しているので、請求人の主張によれば請求人が本件発明より先に発明したと主張する発明は油性の油の膜を形成する防曇剤発明ということになるので、とりあえず、請求人が本件発明より先に発明したと主張する発明は油性の油の膜を形成する防曇剤発明であるとして、検討を進めることとする。
　そして、本件発明が請求人が本件発明より先に発明したと主張する油性の油の膜を形成する防曇剤発明である場合には、さらに、甲第２号証に「油膜」（１頁右欄５行）と記載されていることから請求人が本件発明より先に本件発明の防曇剤を発明していたのかどうかについて検討することとする。
　
（本件の防曇剤発明）
　
  本件の防曇剤についてみるに、本件の防曇剤は、水溶性の防曇基剤に特定の界面活性剤を配合してなるものである。
  そして、本件の防曇剤で用いる水溶性の防曇基剤は、「この発明で水溶性防曇基剤としては、（イ）アニオン界面活性剤、ＨＬＢ値の大きい水溶性の界面活性剤、ＨＬＢ値の小さい油溶性の界面活性剤、グルコールエーテル、アルカノールアミン、水、（ロ）ＨＬＢ値の小さい油溶性の界面活性剤、アニオン界面活性剤、アルコール、グルコールエーテル、アルカノールアミン、水、（ハ）アニオン界面活性剤、ＨＬＢ値の大きい水溶性の界面活性剤、アルコール、アルカノールアミン、水、（ニ）ＨＬＢ値の小さい油溶性の界面活性剤、アルコール、水、（ホ）ＨＬＢ値の大きい水溶性の界面活性剤、アルカノールアミン、アルコール、水、（ヘ）以上の成分に水溶性のシリコンオイルを配合したもの等を例示することができる。」（甲第１号証２頁４欄２３〜３６行）と記載されており、これらはいずれも油の膜を形成するものではなく、本件発明でこれらの防曇基剤に配合される特定の界面活性剤も油の膜を形成するものではない。
　してみると、本件発明の防曇剤は、油の膜を形成するものではない防曇基剤に油の膜を形成するものではない特定の界面活性剤を配合してなるものであり、本件の防曇剤は油の膜を形成するものではない。
　
（本件発明が冒認であるかどうかの検討）
　
  請求人が本件発明より先に発明したと主張する発明は油性の油の膜を形成する防曇剤であるのに対して、本件発明の防曇剤は油性の油の膜を形成しないものである。
　そうすると、本件発明は、本件発明の出願前に請求人がなした出願時に発明していたと主張する発明とは別個の発明というほかはないものである。
　したがって、甲第２号証の出願時に請求人が油性、油の膜を使用した防曇剤の発明をしていたのかどうかをさらに検討するまでもなく、請求人の主張は理由がないとすべきものである。
　この点について、請求人は平成１３年８月１３日付けの手続補正書において「被請求人甲第１号証特許第１４４１１６７号防曇剤に油の膜を使用しているのである。油は岩石を高熱で熱して採取した油でも、化学の油であっても植物の油であっても、油膜の原理は油と水は分離する性質（作用）を持っており、油の膜には変わりないのである。」( ２頁１９〜２２行)と主張しているが、本件発明の防曇剤は先に述べたように油性の油の膜を形成しないものであるから請求人の主張は採用することはできない。
　この点についてさらに検討するに、請求人は「甲第１４４１１６７号の公告公報第２頁第４欄第２５行ないし２７行に油性、油の膜を使用しており、まねをしたのであるから防曇剤の特許の権利を特許法第１２３条第１項第６号の規定により無効とすべきである。」（同手続補正書１頁下から６〜３行）と主張しているが、甲第１号証である特許第１４４１１６７号の公告公報第２頁第４欄第２５行ないし２７行には「ＨＬＢ値の小さい油溶性の界面活性剤、グルコールエーテル、アルカノールアミン、水、（ロ）ＨＬＢ値の小さい油溶性の界面活性剤」と記載されており、油溶性とは油に溶ける性質を有していることを意味しているのであるから、係る記載は油性、油の膜を意味するものではない。そして、界面活性剤は油ではなく、水と分離する性質ではなく水と混合する性質を有するものであるから、甲第１号証である特許第１４４１１６７号の公告公報第２頁第４欄第２５行ないし２７行の記載に基づいて本件発明の防曇剤が油性、油の膜を使用しているとすることはできない。
　
  なお、請求人は、平成１４年２月２０日付けで上申書を提出しているが、該上申書の内容について検討するに、その前半部の主張の内容はおおむね平成１３年８月１３日付けの手続補正書の内容を補充するものであるが、その後半部の主張においては「弁理士安田敏雄の事務所の二階で防曇剤の依頼をしたときに、隣の部屋で第三者タイホー工業株式会社の人と被請求人安田敏雄とが結託して、油の膜を横取りしたのである」（３頁２０〜２２行）旨の主張がされており、該主張は請求の理由を変更することになる新たな主張であるから、平成１４年２月２０日付けの上申書は採用することができないものである。したがって、平成１４年２月２０日付けの上申書の検討は行わないこととする。
　
５．むすび
　
  以上のとおりであるから、請求人の主張及び証拠方法によっては、本件特許の請求項１に係る発明の特許を無効とすることができない。
　よって、結論のとおり審決する。